(57)【特許請求の範囲】
【請求項１】
熱交換器内に設置された、フィンを有する伝熱管を水平に並設してなる伝熱管群の伝熱管外面を洗浄する方法であって、
洗浄薬品を含む薬液で伝熱管群を洗浄する薬液洗浄工程と、高圧水を伝熱管群に向けて噴射する高圧水洗浄工程とを有する伝熱管群の洗浄方法において、
薬液洗浄工程及び高圧水洗浄工程に先立って、伝熱管群の上方に散水手段を設置すると共に、伝熱管群の下方に集水手段を設置し、該散水手段から水を散水し、落下してきた水を集水手段にて集水する予備水洗工程を行う伝熱管群の洗浄方法であって、
前記熱交換器内に複数の伝熱管群が上下に間隔をあけて設置されており、洗浄しようとする伝熱管群よりも下段側の伝熱管群の上面にメッシュ材が設置されており、
該メッシュ材の目開きは下段側の伝熱管のフィンの設置間隔よりも小さいことを特徴とする伝熱管群の洗浄方法。
【請求項２】
請求項１において、前記予備水洗工程の後、
酸の水溶液で洗浄する酸洗浄工程と、
水を散水してリンスするリンス工程と、
前記高圧水洗浄工程と、
該リンス工程よりも多量の水を散水する大流量水洗工程と、
中和剤の水溶液を散水する中和工程と、
を行うことを特徴とする伝熱管群の洗浄方法。
【請求項３】
請求項１又は２において、各伝熱管群の洗浄後に、洗浄した伝熱管群よりも下段側の伝熱管群の上面に設置されていた前記メッシュ材を撤去することを特徴とする伝熱管群の洗浄方法。
【発明の詳細な説明】
【技術分野】
【０００１】
本発明は伝熱管群の洗浄方法に係り、特にフィンを有する伝熱管を水平に並設した伝熱管群の伝熱管外面を洗浄する方法に関する。
【背景技術】
【０００２】
ボイラや排ガス煙道等に設置された伝熱管の外面には、スケールやダスト等が付着する。また、排ガス脱硝のために排ガス中にアンモニアを添加する場合には、硫酸アンモニウム系化合物が付着する。
【０００３】
このような伝熱管外面の付着物を除去する洗浄方法として、界面活性剤や、界面活性剤と酸又はアルカリ等の洗浄薬品を含む薬液で洗浄する方法（特許文献１，２，３）、高圧水ジェット、高圧空気ジェットなどの流体噴射（特許文献１）などが行われている。
【０００４】
なお、特許文献２では、伝熱管を水平に配設し、水噴出用のランスを伝熱管群の中に差し込んで水を噴射するようにしている。
【０００５】
特許文献３では、フィン付きの伝熱管が上下方向に配列されており、スプレーパイプから噴射されて伝熱管に掛けられた洗浄水がフィンの上面から下面に回り込むように伝わり流れる。
【先行技術文献】
【特許文献】
【０００６】
【特許文献１】特開昭５４−８２０７
【特許文献２】特開２００１−１２８９４
【特許文献３】特開平７−７７３０４
【発明の概要】
【発明が解決しようとする課題】
【０００７】
Ｉ．高圧水ノズルやスプレーパイプから高圧水や洗浄薬液を噴射して伝熱管を洗浄する場合、ボイラ炉体や排ガス煙道等からの漏水がないか、集水系は正常に作動するか等を確認することが望ましいが、上記従来技術では、この点についての配慮がなされていない。
【０００８】
本発明は、洗浄工程途中での漏水や集水不良を事前に予知することができ、高圧水や薬液等による本洗浄工程を効率よく行うことができる伝熱管群の洗浄方法を提供することを目的とする。
【０００９】
II．上記特許文献３のように、フィン付きの伝熱管を上下方向に配設した場合には、フィンの上面にダスト、塩類等の付着物が溜り易い。この上面に水が伝わり流れたとしても、付着物を押し流す作用は殆ど奏されない。
【００１０】
また、伝熱管群を上下多段に設置してある場合、上段側の伝熱管群を洗浄したときに該上段側の伝熱管群から落ちてきた剥離物が下段側の伝熱管群の伝熱管のフィン同士の間に挟まってしまうおそれがある。
【００１１】
本発明は、フィン付きの伝熱管よりなる伝熱管群を効率よく十分に洗浄することができる伝熱管群の洗浄方法を提供することを目的とする。
【課題を解決するための手段】
【００１２】
請求項１の伝熱管群の洗浄方法は、熱交換器内に設置された、フィンを有する伝熱管を水平に並設してなる伝熱管群の伝熱管外面を洗浄する方法であって、洗浄薬品を含む薬液で伝熱管群を洗浄する薬液洗浄工程と、高圧水を伝熱管群に向けて噴射する高圧水洗浄工程とを有する伝熱管群の洗浄方法において、薬液洗浄工程及び高圧水洗浄工程に先立って、伝熱管群の上方に散水手段を設置すると共に、伝熱管群の下方に集水手段を設置し、該散水手段から水を散水し、落下してきた水を集水手段にて集水する予備水洗工程を行う伝熱管群の洗浄方法であって、前記熱交換器内に複数の伝熱管群が上下に間隔をあけて設置されており、洗浄しようとする伝熱管群よりも下段側の伝熱管群の上面にメッシュ材が設置されており、該メッシュ材の目開きは下段側の伝熱管のフィンの設置間隔よりも小さいことを特徴とするものである。
【００１３】
請求項２の伝熱管群の洗浄方法は、請求項１において、前記予備水洗工程の後、酸の水溶液で洗浄する酸洗浄工程と、水を散水してリンスするリンス工程と、前記高圧水洗浄工程と、該リンス工程よりも多量の水を散水する大流量水洗工程と、中和剤の水溶液を散水する中和工程とを行うことを特徴とするものである。
【発明の効果】
【００１６】
本発明の伝熱管群の洗浄方法にあっては、伝熱管を薬液や高圧水で洗浄する本洗浄に先立って、伝熱管群上方に配置した散水手段から水を散水すると共に、伝熱管群下方に配置した集水手段によってこの散水由来の落下水を集水する。従って、漏水の有無や送水系、集水系の作動状況などを本洗浄工程に先立ってチェック、確認することができる。
【００１７】
また、本発明では、伝熱管は水平に配設されており、フィンの板面は上下方向となるので、ダスト等がフィン板面に付着しにくいと共に、洗浄水や薬液がフィン板面を高流速で伝わり落ちるので、付着物を洗い流す作用が強い。
【００１８】
請求項２の伝熱管群の洗浄方法によると、酸洗浄と高圧水洗浄とを併用するので洗浄効果が高い。また、この高圧水洗浄工程の後に大流量水洗工程を行うので、伝熱管やフィンの表面に残留していた剥離残滓物を殆どすべて洗い流すことができる。
【００１９】
本発明の伝熱管群の洗浄方法によると、上段側の伝熱管群の洗浄時に該上段側伝熱管群から落下してきた剥離物等の固形分がメッシュ材で捕集される。
【００２０】
そのため、この落下固形物が下段側伝熱管群に付着することが防止（抑制を含む。）される。特に、本発明のように、メッシュ材の目開きを下段側の伝熱管のフィンの設置間隔よりも小さくすることにより、フィン同士の間に落下固形物が挟まることが防止される。
【図面の簡単な説明】
【００２１】
【図１】実施の形態に係る伝熱管群の洗浄方法を説明する概略的な縦断面図である。
【図２】伝熱管の側面図と正面図である。
【図３】伝熱管群における伝熱管の配列図である。
【図４】実施例１と比較例１の洗浄時間と溶出鉄イオン濃度の経時変化を示すグラフである。
【図５】還元剤の添加効果を示すグラフである。
【発明を実施するための形態】
【００２２】
以下、第１図〜第３図を参照して実施の形態について説明する。
【００２３】
ボイラ焼却炉やディーゼルエンジン等の燃焼ガス発生設備からの排ガスを導く煙道の末端に熱交換器ハウジング２が設置され、煙道からの排ガスがハウジング２の下端から導入され、頂部の煙突５から排出される。ハウジング２内の最下部には脱硝触媒を有した触媒床３が設けられ、ハウジング２内の最上部には消音器（サイレンサ）４が設置されている。触媒床３又はそれよりも上流側で排ガス中にアンモニアが添加され、ＮＯｘ成分とアンモニアとを反応させて脱硝する。
【００２４】
この触媒床３と消音器４との間に、上下多段に伝熱管群１１，１２，１３が設置されている。この実施の形態では、伝熱管群が３段に設置されているが、２段又は４段以上であってもよい。各伝熱管群１１，１２，１３同士の間には若干（例えば５〜１０ｍｍ程度）の間隙があいている。
【００２５】
１つの伝熱管群は、伝熱管８を水平に並列にかつ上下に千鳥配列となるように多段に配列したものである。
【００２６】
１つの伝熱管群における伝熱管８の段数は通常は５段以上、例えば１０〜２０段程度である。１段における伝熱管８の本数は、例えば２０〜２００本程度とされるが、これに限定されない。
【００２７】
伝熱管８には、その長手方向に一定のピッチ（例えば１〜５ｍｍ程度）にてフィン９が設けられている。フィン９は中心孔を有した円板形であり、伝熱管８の外周面に溶接等によって固着されている。
【００２８】
伝熱管群１１〜１３の洗浄のために、薬品洗浄用薬液槽２１、通常水洗用水槽２２、大流量水洗用水槽２３、高圧水洗浄用水槽２４、防錆液槽２５が設けられている。各槽２１〜２５内には、水中ポンプ２１ａ〜２５ａが設けられており、槽２１〜２５内の水又は薬液は配管２１ｂ〜２５ｂを介して循環ポンプ２６へ送水可能となっている。
【００２９】
循環ポンプ２６からの水又は薬液は、配管２７，２８を介して第１の伝熱管群１１の上側かつサイレンサ４の下側に配置された散水管２９に送水可能とされている。この散水管２９は、ハウジング２に常設されていてもよく、伝熱管洗浄時にのみ設置されてもよい。
【００３０】
配管２７からは配管３１，３３，３５が分岐しており、各配管３１，３３，３５の先端は、ハウジング２内の大流量洗浄管３２，３４，３６に接続されている。この大流量洗浄管３２，３４，３６は伝熱管洗浄時にのみハウジング２の作業用開口を通ってハウジング２内に設置される。大流量洗浄管３２，３４，３６としては、大口径の合成樹脂ホースなどを用いることができるが、これに限定されない。配管２８，３１，３３，３５には、ポンプ２６からの水又は液の流れ方向を選択するための弁２８ａ，３１ａ，３３ａ，３５ａが設けられている。
【００３１】
伝熱管群の洗浄時には、最下段の伝熱管群１３の下側かつ触媒床３の上側に集水用トレー３７が設置される。
【００３２】
トレー３７で集水された水又は液は水中ポンプ３８及び配管４１〜４５を介して槽２１〜２５へ返送されるか、又は配管４６を介して排液槽４７へ送水される。
【００３３】
各配管４１〜４６には弁４１ａ〜４６ａが設けられており、水又は液の返送先を選択できるようになっている。
【００３４】
最上段の伝熱管群１１の洗浄時には、中段の伝熱管群１２及び最下段の伝熱管群１３の上面部にそれぞれメッシュ材４８，４９が設置される。メッシュ材４８，４９は各伝熱管群１２，１３の上面全体を覆う大きさを有する。メッシュ材４８，４９の目開きは伝熱管８のフィン９，９間の隙間寸法（配列ピッチ）よりも小さいものとなっている。
【００３５】
この実施の形態では、配管２７から配管５２が分岐しており、循環ポンプ２６からの水は、配管５２、該配管５２の途中に設けられた弁５０及び昇圧用ポンプ５１を介して高圧水噴射ノズル５３に供給可能とされている。このノズル５３は、ハウジング２に設けられた作業用開口を通って伝熱管群１１，１２又は１３の上側へ配備可能とされている。
【００３６】
高圧水噴射ノズル３２としては、例えば扇形ノズル（フラットスプレーノズル）が用いられ、水圧は５〜２０ＭＰａ程度とされるが、これは一例であり、これに限定されない。
【００３７】
伝熱管群の洗浄方法は次の通りである。
【００３８】
第１図の通り、散水管２９、メッシュ材４８，４９、トレー３７、ポンプ３８をハウジング２内に設置する。
【００３９】
その後、まず、弁２８ａを開、弁３１ａ，３３ａ，３５ａ，５０を閉とし、ポンプ２２ａ，２６を作動させ、水槽２２内の水を配管２７，２８を介して散水管２９へ送水し、散水（スプレー）して予備水洗する。そして、散水管２９からのスプレー状態、トレー３７からの排水回収の確認および各配管類の漏洩チェックを行う。また、この水洗浄により、併せて伝熱管群に付着しているスケールに含まれる水溶性成分を溶解除去する。この水溶性成分の溶解に使用されるスプレー水が酸性を呈する場合には、水槽２２内に腐食抑制剤を添加してもよい。
【００４０】
この予備水洗時にトレー３７で集水された洗浄排水は、排液槽４７に回収した後、処分する。
【００４１】
なお、散水管２９は、伝熱管群１１の上面の全域に満遍なく水を散水（スプレー）することができるように必要な数だけ配設されるのが好ましい。散水管２９の数が多数である場合、各散水管２９に同時に給水すると、単位時間当りの合計給水量が過度に多くなることがある。このような場合には、散水管２９を複数のグループに分け、各グループに順番に給水するようにしてもよい。
【００４２】
この予備水洗の後、ポンプ２１ａ，２６を作動させ、薬液槽２１内の洗浄薬液を配管２７，２８を介して散水管２９に供給し、伝熱管群１１，１２，１３を薬液で洗浄する。
【００４３】
この薬液としては、鉄錆を常温で溶解できる洗浄剤の含有液が好適である。この薬液洗浄により、伝熱管に付着した水溶性成分を溶解すると共に、鉄錆を湿潤・軟化させ、また一部の鉄錆を溶解除去する。
【００４４】
洗浄剤としては、常温で鉄錆の溶解能力が高い酸が好適である。廃熱回収ボイラの場合であれば、臭気が少なく、洗浄剤成分が蒸発しにくいものが好ましく、運転開始後熱分解する有機酸系の薬品が好適である。この有機酸としては、スケール溶解性に優れたマロン酸とグリコール酸の混合有機酸を用いるのが好ましい。
【００４５】
また、洗浄薬液としては、鉄錆の溶解に伴って生成する腐食性のＦｅ３＋イオンを無害なＦｅ２＋イオンに還元する強力な還元剤を含むものが好ましい。通常は、市販の還元剤含有洗浄剤の溶液を洗浄薬液として用いれば足りるが、洗浄剤中の還元剤成分が不足するときには、洗浄剤だけではなくさらに還元剤を洗浄液槽２１に添加してもよい。還元剤としては有機系Ｌ−アスコルビン酸またはエリソルビン酸を用いるのが好ましい。
【００４６】
散水管２９から散水（スプレー）された洗浄薬液は、伝熱管群１１，１２，１３と接触した後、トレー３７にて集水され、ポンプ３８、配管４１を介して薬液槽２１へ返送され再使用される。
【００４７】
この薬液洗浄の後、ポンプ２２ａ、２６を作動させ、水槽２２内の水を散水管２９からスプレーし、伝熱管群をリンスする。すなわち、付着残留する薬液成分を洗い流す。このリンス排水は、トレー３７から水槽２２に回収してもよく、排液槽４７へ送って処分してもよい。
【００４８】
このリンス工程の後、高圧水洗浄工程を行う。この場合、扇形ノズル（１５°フラットスプレーノズル）等の高圧水噴射ノズル５３をまず最上段の伝熱管群１１の上側に配置する。そして、弁２８ａ，３１ａ，３３ａ，３５ａを閉、弁５０を開とし、ポンプ２４ａ，２６，５１を作動させ、水槽２４内の水をポンプ５１で昇圧し、ノズル５３から高圧水を伝熱管群１１に噴射する。この高圧水の噴射を受けることにより、伝熱管８に付着していた固形物が剥離され、落下する。メッシュ材４８，４９の目開きよりも細かい固形分は、水と共にトレー３７まで落下するが、大きな固形分はメッシュ材４８で捕集される。
【００４９】
メッシュ材４８を通過する固形分の粒径は、フィン９，９間の隙間寸法よりも小さいので、フィン９，９間に詰まることはない。
【００５０】
トレー３７で集水された水は、配管４２又は４３を介して水洗用水槽２２又は２３に回収され、次回の予備水洗やリンス用水として用いられる。水槽２４内の高圧洗浄用水としては、昇圧用ポンプ５１への悪影響を避けるために、常に清水（例えば、工業用水、井水、水道水など）を用いるのが好ましい。
【００５１】
この高圧水洗浄工程では、高圧水噴射水が当った伝熱管８からスケール等の固形分が剥離されるが、剥離された固形物が、周囲の伝熱管や、下段側の伝熱管群の伝熱管に付着して残ることがある。そこで、高圧水洗浄工程の後に、水を大流量にて供給して水洗を行う。
【００５２】
この大流量水洗を行うには、弁３１ａを開、弁２８ａ，３３ａ，３５ａ，５０を閉とし、ポンプ２３ａ，２６を作動させ、水槽２３内の水をまず最上段の伝熱管群１１に大流量にて供給し、付着固形分を洗い落とす。洗い落とされた固形分のうち粗いものは、高圧水洗浄の場合と同様にメッシュ材４８で捕集され、細い固形分はトレー３７にまで落下する。トレー３７上の水は、ポンプ３８、配管４３を介して水槽２３に返送される。
【００５３】
最上段の伝熱管群１１を大流量水洗した後、第２段目の伝熱管群１２上のメッシュ材４８から捕集固形分を回収し、次いでメッシュ材４８を撤去する。
【００５４】
次いで、第２段目（中段）の伝熱管群１２を高圧水で洗浄する。即ち、高圧水噴射ノズル５３を伝熱管群１２の上側に差し込み、弁２８ａ，３１ａ，３３ａ，３５ａを閉、弁５０を開とし、ポンプ２４ａ，２６，５１を作動させ、高圧水をノズル５３から伝熱管群１２に向けて噴射させ、高圧水洗浄する。このときに伝熱管群１２から剥離した固形分のうち粗いものはメッシュ材４９で捕集され、細かいものは水と共にトレー３７にまで落下する。トレー３７上の水は水槽２２又は２３に回収される。
【００５５】
次に、伝熱管群１２を大流量水洗する。即ち、弁３３ａを開、弁２８ａ，３３ａ，３５ａ，５０を閉とし、ポンプ２３ａ，２６を作動させ、水槽２３内の水を伝熱管群１２に大流量にて供給し、付着固形分を洗い落とす。洗い落とされた固形分のうち粗いものは、高圧水洗浄の場合と同様にメッシュ材４９で捕集され、細い固形分はトレー３７にまで落下する。トレー３７上の水は、ポンプ３８、配管４３を介して水槽２３に返送される。
【００５６】
第２段の伝熱管群１２を大流量水洗した後、最下段の伝熱管群１３上のメッシュ材４９から捕集固形分を回収し、次いでメッシュ材４９を撤去する。
【００５７】
その後、最下段の伝熱管群１３を高圧水で洗浄する。即ち、高圧水噴射ノズル５３を伝熱管群１３の上側に差し込み、弁２８ａ，３１ａ，３３ａ，３５ａを閉、弁５０を開とし、ポンプ２４ａ，２６，５１を作動させ、高圧水をノズル５３から伝熱管群１３に向けて噴射させ、高圧水洗浄する。このときに伝熱管群１３から剥離した固形分は、水と共にトレー３７に落下する。トレー３７上の水は水槽２２又は２３に回収される。
【００５８】
次に、伝熱管群１３を大流量水洗する。この大流量洗浄を行うには、弁３５ａを開、弁２８ａ，３１ａ，３３ａ，５０を閉とし、ポンプ２３ａ，２６を作動させ、水槽２３内の水を伝熱管群１３に大流量にて供給し、付着固形分を洗い落とす。洗い落とされた固形分は、水と共にトレー３７に落下する。トレー３７上の水は、ポンプ３８、配管４３を介して水槽２３に返送される。
【００５９】
最下段の伝熱管群１３の大流量水洗が終了した後、弁２８ａを開、弁３１ａ，３３ａ，３５ａ，５０を閉とし、ポンプ２５ａ，２６を作動させ、防錆液槽２５内の防錆液を散水管２９からスプレーする。防錆液は、各伝熱管群１１〜１３と接触した後、トレー３７に集液され、ポンプ３８、配管４５を介して防錆液槽２５へ回収される。所定時間防錆液をスプレー及び回収した後、ポンプ２５ａ，２６を停止する。そして、トレー３７に堆積したスラッジをバキューム車で排水とともに吸引回収し、トレー３７を撤去して、伝熱管群１１〜１３の洗浄を終了する。
【００６０】
その後、伝熱管を乾燥するため、フィン部に滞留している水をエアーブローや伝熱管内に温水を通水するのが好ましい。
【００６１】
上記の洗浄方法では、洗浄用薬液を散水管２９からスプレーすることにより、スケールの溶解と同時に未溶解のスケールについては湿潤・軟化させ、その後の高圧水洗浄によるフィン間のスケール剥離・除去を容易にすることができる。
【００６２】
また、高圧水洗浄により剥離した固形分を大流量水洗によって洗い落とすため、剥離固形分の残留が防止される。また、粗い固形分がメッシュ材４８，４９で捕集されるので、フィン９，９間に詰まることがない。従って、各伝熱管群を効率よく洗浄することができる。
【００６３】
＜試験例１，２＞
薬液洗浄に用いる薬液としては、前記の通り、臭気が少なく、洗浄剤成分が蒸発しにくいものが好ましく、運転開始後熱分解する有機酸系の薬品が好適である。そこで、スケール溶解剤としてマロン酸とグリコール酸の混合有機酸を用い、還元剤としてエリソルビン酸を用いた薬液のスケール溶解効果を試験すると共に、対照のために塩酸によるスケール溶解効果を試験した。
【００６４】
即ち、試験例１では、酸腐食抑制剤（朝日化学工業（株）製「イビット」（住友化学工業（株）登録商標）Ｎｏ．３０Ｆ）を含むマロン酸とグリコール酸の混合有機酸（濃度５％）に、還元剤としてエリソルビン酸を１％添加した溶液を薬液とした。試験例２では、酸腐食抑制剤を含む塩酸５％溶液を薬液とした。実機から採取した伝熱管に各溶液を常温でスプレーし、溶出鉄イオン濃度の経時変化を比較した。試験結果を第４図に示す。第４図の通り、試験例１の薬液は試験例２の塩酸溶液と同等のスケール溶解効果がある。
【００６５】
＜試験例３，４＞
廃熱ボイラの場合、スケールはＦｅＯＯＨまたはＦｅ２Ｏ３であり、酸に溶解した場合、溶出鉄イオンはすべて、３価の鉄イオン（Ｆｅ３＋）である。このＦｅ３＋イオンは、化学反応式２Ｆｅ３＋＋Ｆｅ（母材）→３Ｆｅ２＋に従って母材を腐食するため、腐食性のＦｅ３＋イオンを無害なＦｅ２＋イオンに還元するのが好ましい。
【００６６】
そこで、マロン酸とグリコール酸の混合有機酸（濃度５％、常温）に実機から採取したスケールを浸漬して、経時的に溶解させた。スケールの溶解進行により、液中のＦｅ３＋イオン濃度が徐々に上昇するので１，０００ｍｇ／Ｌを越えた時点で還元剤としてエリソルビン酸を１０，０００ｍｇ／Ｌ添加して、Ｆｅ３＋イオンをＦｅ２＋イオンに還元して無害化した。液中の全Ｆｅイオン濃度とＦｅ３＋イオン濃度の経時変化を第５図に示す。
【００６７】
第５図の通り、試験開始後７時間目にＦｅ３＋イオンが１，２００ｍｇ／Ｌになったため、還元剤を添加したところ、その２時間後の測定でＦｅ３＋イオン濃度が４００ｍｇ／Ｌに低下していることが認められた。また、その後スケールの溶解進行により、１５時間目にＦｅ３＋イオン濃度が１，２００ｍｇ／Ｌとなったが、このときは還元剤を添加しなかったので２４時間目にはＦｅ３＋イオン濃度が２，３００ｍｇ／Ｌまで上昇した。
【符号の説明】
【００６８】
１  煙道
２  熱交換器ハウジング
３  触媒床
４  サイレンサ
５  煙突
８  伝熱管
１１，１２，１３  伝熱管群
２９  散水管
３２，３４，３６  大流量洗浄管
３７  トレー
５３  高圧水噴射ノズル
【図１】
0005402297.tif 000002
【図２】
0005402297.tif 000003
【図３】
0005402297.tif 000004
【図４】
0005402297.tif 000005
【図５】
0005402297.tif 000006